(57)【特許請求の範囲】
【請求項１】
水道本管に分水部を介して受水者宅に到る給水管が接続されており、該給水管には、上流側から順に止水栓と水道メータが配置されたメータボックスを介して、受水者宅の蛇口等の水利用部が接続されてなる上水道給水設備における漏水検知システムであって、
前記分水部近傍の前記給水管に水流検知手段が配置され、前記水流検知手段から得られた水流検知信号を送る電線が前記給水管に添って前記メータボックス内まで配線されており、前記電線の前記メータボックス内の端部に水流検知信号を表示するための水流検知表示手段が接続可能になっており、前記水流検知表示手段による水流検知信号の表示によって漏水検知の判断をすることを特徴とする水道給水管漏水検知システム。
【請求項２】
前記水流検知手段が前記給水管に水流があるときとないときで電気的接続が開閉する流水スイッチからなり、前記水流検知表示手段が、前記メータボックス内の前記電線端部に電圧を印加する電源と、前記流水スイッチが閉のときに前記電線を介して前記電源から前記流水スイッチに電流が流れたことを表示する表示手段とを備えていることを特徴とする請求項１記載の水道給水管漏水検知システム。
【請求項３】
前記電源と前記表示手段が直列に接続され、前記メータボックス内の前記電線の端部に、少なくとも前記電源側あるいは前記表示手段側の端子が離接可能に配置されていることを特徴とする請求項２記載の水道給水管漏水検知システム。
【請求項４】
前記水流検知手段が前記給水管に水流があるときに発電する発電型水流検知器からなり、前記水流検知表示手段として前記電線を介して前記発電型水流検知器から発電された電圧電流に感応する表示手段を備えていることを特徴とする請求項１記載の水道給水管漏水検知システム。
【請求項５】
前記電線が前記給水管に添って１本だけ配線されており、前記電線が前記給水管のロケーティングワイヤとして利用可能になっていることを特徴とする請求項１から４の何れか１項記載の水道給水管漏水検知システム。
【発明の詳細な説明】
【技術分野】
【０００１】  本発明は、水道給水管漏水検知システムに関し、特に、水道本管から分水部を介して各家庭へ給水される給水管部分での漏水を容易に検知できる給水システムに関するものである。
【背景技術】
【０００２】  水道給水は各家庭になくてはならないものである。水道は、通常道路下に埋設した水道本管より分水部を介して各個人世帯に分水し、メーター器を通り各家庭の蛇口等にて使用している。【０００３】  水道企業体は、給水受水者に、メーター器の数字により水量を測り、その水量により水を販売している。【０００４】  メーター器より下流に漏水があった場合には、蛇口等に水を出していない状態でメーター器を見れば、インジケーターと呼ばれるものが回転しているので、漏水していると容易に判定できる。【０００５】  しかし、給水受水者（個人世帯）はメーター器のインジケーターが回ることには敏感であるが、メーター器より上流の給水管の漏水にはあまり関心を持たない。メーター器より上流に例え漏水があっても、料金には関係がないためである。勢いよく漏水し、目視にて確認できる程度であれば、修理を依頼するが、それ以外では関心を持たないのが通常である。【０００６】  水道には常に圧力がかかっているので、小さな漏水であっても毎日出っぱなしになっていれば、水道企業体は水を捨てているのと同じある。【０００７】  現在は、その漏水を発見するために水道企業体は業者に委託し、漏水音等を聴いて漏水を発見している。【０００８】  水道企業体は毎年多大な額を漏水により損をしているのが現状である。漏水調査は、通常年に一度それも一定期間のみに行うので、例えばその時期より少し後に漏水が始まれば、その後の調査を待たねば発見は目視にて確認できない限り見つけるのは困難である。
【特許文献１】  実開昭６３−３５２３２号公報
【特許文献２】  特許第３９０１２７２号公報
【特許文献３】  特許第３９４７２６２号公報
【特許文献４】  特開昭５６−１３２５８６号公報
【特許文献５】  特開平７−２６４７６２号公報
【特許文献６】  特開平９−９６５５３号公報
【発明の開示】
【発明が解決しようとする課題】
【０００９】  本発明はこのような状況に鑑みてなされたものであり、その目的は、現状の水道給水管設備に簡単な追加をするだけで分水部とメーター器の間の漏水を何時でも容易に簡単に検知できる給水システムを提供することである。
【課題を解決するための手段】
【００１０】  上記目的を達成する本発明の水道給水管漏水検知システムは、水道本管に分水部を介して受水者宅に到る給水管が接続されており、該給水管には、上流側から順に止水栓と水道メータが配置されたメータボックスを介して、受水者宅の蛇口等の水利用部が接続されてなる上水道給水設備における漏水検知システムであって、
前記分水部近傍の前記給水管に水流検知手段が配置され、前記水流検知手段から得られた水流検知信号を送る電線が前記給水管に添って前記メータボックス内まで配線されており、前記電線の前記メータボックス内の端部に水流検知信号を表示するための水流検知表示手段が接続可能になっており、前記水流検知表示手段による水流検知信号の表示によって漏水検知の判断をすることを特徴とするものである。【００１１】  この場合に、前記水流検知手段が前記給水管に水流があるときとないときで電気的接続が開閉する流水スイッチからなり、前記水流検知表示手段が、前記メータボックス内の前記電線端部に電圧を印加する電源と、前記流水スイッチが閉のときに前記電線を介して前記電源から前記流水スイッチに電流が流れたことを表示する表示手段とを備えているようにすることが望ましい。その場合に、前記電源と前記表示手段が直列に接続され、前記メータボックス内の前記電線の端部に、少なくとも前記電源側あるいは前記表示手段側の端子が離接可能に配置されていることが望ましい。【００１２】  また、前記水流検知手段が前記給水管に水流があるときに発電する発電型水流検知器からなり、前記水流検知表示手段として前記電線を介して前記発電型水流検知器から発電された電圧電流に感応する表示手段を備えていることを特徴とするものとすることもできる。【００１３】  また、以上において、前記電線が前記給水管に添って１本だけ配線されており、前記電線が前記給水管のロケーティングワイヤとして利用可能になっていることができる。
【発明の効果】
【００１４】  本発明の水道給水管漏水検知システムにより、既存の水道給水管設備に簡単な構成の追加だけで、水道本管からの分水部とメーターボックスとの間の漏水を一人の検査員が動かずに一か所で簡単に確実に検知することができる。
【発明を実施するための最良の形態】
【００１５】  以下、本発明の水道給水管漏水検知システムを実施例に基づいて説明する。【００１６】  図１（ａ）は、本発明の１実施例の水道給水管漏水検知システムを模式的に示す図であり、給水を受ける地区の例えば公道の下に水道本管１が埋設されており、給水を受ける個人世帯の宅地に面した水道本管１の部分には、サドル分水栓と呼ばれる分水部３を介してその個人宅に給水する給水管２が水道本管１より分岐している。給水管２は宅地を通ってメータボックス４に達しており、このメータボックス４内の給水管２には上流側から順に丙止水栓と呼ばれるバルブ５と使用水量を計測する水道メータ６が設置されており、その先の給水管２は住宅７内の蛇口８等につながり、蛇口８等から給水された水量は水道メータ６に記憶され、定期的に検針を受ける。また、必要に応じてバルブ５を閉めることで、住宅７内への給水は止められる。【００１７】  以上は通常の各家庭への上水道給水設備の概略であり、本発明は、分水部３からバルブ５までの間の給水管２で漏水があるかないかを何時でも容易に検知できるようにするために、給水管２の分水部３近傍に水流スイッチ１０と呼ばれる水流検知手段を設置し、その水流スイッチ１０の一方の端子に絶縁被覆電線１５を接続し、水流スイッチ１０の他方の端子をアース線１６に接続する。絶縁被覆電線１５は給水管２に添わせてメータボックス４まで伸ばし、その端部をメータボックス４内に設置したコンセント１７の一方の端子に接続し、コンセント１７の他方の端子をアース線１８に接続する。【００１８】  ここで、水流スイッチ１０は、例えば特許文献１〜３等において知られているように、水流を受けて軸１１の周りで揺動するフラップ１２に磁石１３を固定しておいて、フラップ１２が水流を受けて揺動してケーシングに設けられたリードスイッチ（磁気近接スイッチ）１４にその磁石１３が近づくと、リードスイッチ１４が接続され、フラップ１２が自重で軸１１から垂れ下がり、磁石１３がリードスイッチ１４から遠ざかると切れるか、あるいはその逆に、磁石１３が近づくとリードスイッチ１４が切れ、遠ざかると接続されるものである。【００１９】  このような構成であるので、給水管２に漏水があるか否かを検知するには、メータボックス４内のバルブ５を閉めて水道メータ６が作動していないと確認した状態で、水流スイッチ１０が接続されているか否かを電気的に検出すればよい。そのためには、例えば図１（ｂ）に示すような漏水検出具２０のプラグ２１をメータボックス４内のコンセント１７に差し込んで両者の端子を接続することで、漏水検出具２０の発光ダイオード等の電気発光体２４の点滅を見ればよい。【００２０】  ここで、漏水検出具２０はプラグ２１の一方の端子から他方の端子に連結された電線２２内に直列に電池２３と電気発光体２４を接続してなるものである。【００２１】  このような構成において、水流スイッチ１０のリードスイッチ１４が水流のあるとき接続し、水流のないときに切れるものの場合は、漏水検出具２０の電気発光体２４が点灯すれば、水流スイッチ１０とバルブ５の間に漏水があると確実に検知され、リードスイッチ１４が逆の場合は、電気発光体２４が消灯すれば、その間に漏水があると確���に検知される。【００２２】  なお、図１（ａ）の場合は、リードスイッチ１４とコンセント１７の一方の端子間を１本の絶縁被覆電線１５で接続し、他方の端子間はアース線１６とアース線１８で接続したが、一対の絶縁被覆電線でリードスイッチ１４とコンセント１７を接続するようにしてももちろんよい。ただし、１本の絶縁被覆電線１５で接続する構成の場合、コンセント１７の両端子の間に高周波電源を接続して絶縁被覆電線１５から放射される交番磁界を地表で検出することで、埋設管、この場合は給水管２の埋設位置を探査するロケーティングワイヤ（特許文献４〜５等）としての機能を絶縁被覆電線１５に持たせることができ、漏水検知と埋設位置探査の両者が行えるシステムとなる。【００２３】  次に、図１の実施例の変形例を図２の模式図に従って説明する。この実施例は、給水管２の分水部３近傍に、水流スイッチ１０に代えて、発電型水流検知器３０を設置する例である。そのためには、例えば、水流が通るケーシング内に水流を受けて回転する羽根車３１を配置し、その羽根車３１の回転軸に発電機３２を取り付けたものを用いる。そして、その発電機３２の出力端子の一方に絶縁被覆電線１５を接続し、発電機３２の出力端子のもう一方にアース線１６に接続しておく。そして、絶縁被覆電線１５は給水管２に添わせてメータボックス４まで伸ばし、その端部を例えば発光ダイオード等の電気発光体２４の一方の端子に接続し、電気発光体２４の他方の端子をアース線１８に接続しておく。【００２４】  このような構成であるので、給水管２に漏水があるか否かを検知するには、メータボックス４内のバルブ５を閉めて水道メータ６が作動していないと確認した状態で、メータボックス４内の電気発光体２４が点灯していれば、分水部３からバルブ５までの間の給水管２に漏水があることが確実に検知される。【００２５】  この例の場合も、図１の場合と同様に、発電機３２と電気発光体２４の間を１本の絶縁被覆電線１５で接続し、それぞれの他方の端子間をアース線１６とアース線１８で接続していたが、一対の絶縁被覆電線で発電機３２と電気発光体２４を接続するようにしてももちろんよい。ただし、１本の絶縁被覆電線１５で接続する構成の場合、絶縁被覆電線１５のメータボックス４内の端部とアース線１８の間に高周波電源を接続して絶縁被覆電線１５から放射される交番磁界を地表で検出することで、給水管２の埋設位置を探査することができ、絶縁被覆電線１５にロケーティングワイヤとしての機能を持たせることができる。【００２６】  以上の本発明のシステムの特長は、既存の水道給水管設備に水流スイッチ１０又は発電型水流検知器３０等の水流検知手段を追加設置し、その水流検知手段から給水管２に添ってメータボックス４内のコンセント１７又は電気発光体２４まで絶縁被覆電線１５を配線するだけの簡単な構成を追加するだけで、一人の検査員が動かずに一か所で確実に漏水を検知できることである。【００２７】  なお、漏水の検知表示手段として電気発光体２４の点灯に限らず、ブザー等の音による表示、あるいは、メータによる表示等を用いることができる。【００２８】  さらに、水流検知手段として、水流スイッチ１０、発電型水流検知器３０以外の��流のあるなしを検出できるものなら如何なるものを用いてもよい（例えば、特許文献６参照）。【００２９】  以上、本発明の水道給水管漏水検知システムを実施例に基づいて説明してきたが、本発明はこれら実施例に限定されず種々の変形が可能である。
【図面の簡単な説明】
【００３０】
【図１】  本発明の１実施例の水道給水管漏水検知システムを模式的に示す図である。
【図２】  本発明の変形例の水道給水管漏水検知システムを模式的に示す図である。
【符号の説明】
【００３１】１…水道本管
２…給水管
３…分水部
４…メータボックス
５…バルブ
６…水道メータ
７…住宅
８…蛇口
１０…水流スイッチ
１１…軸
１２…フラップ
１３…磁石
１４…リードスイッチ（磁気近接スイッチ）
１５…絶縁被覆電線
１６…アース線
１７…コンセント
１８…アース線
２０…漏水検出具
２１…プラグ
２２…電線
２３…電池
２４…電気発光体
３０…発電型水流検知器
３１…羽根車
３２…発電機
【図１】
0004636291.tif 000002
【図２】
0004636291.tif 000003